(57)【特許請求の範囲】
【請求項１】
コンクリートによって中空状に形成した内筒体を成形するとともに、その内筒体を囲むようにして通水性を備えた円筒状の型枠を設け、この型枠と前記内筒体との間に貝殻を充填し、この貝殻にペースト状の固化剤を吹き付けて前記内筒体の外周縁を覆う外筒体を、前記貝殻が表面側に表れるように成形したことを特徴とする漁場施設用成形体の製造方法。
【発明の詳細な説明】
【０００１】
【発明の属する技術分野】
本発明は、多毛類，小型甲殻類及び魚類のための魚礁・増殖礁などに好適な漁場施設用のコンクリート又はセラミックからなる成形体に関する。
【０００２】
【発明が解決しようとする課題】
近年、沿岸漁場での水産資源の保護育成を図るために漁場の整備が行われるようになってきている一方、廃棄物処理の問題からカキ類などの貝殻のリサイクルが要求されるようになってきており、カキ類の貝殻を魚礁や増殖礁としてリサイクル使用することが行われている。
【０００３】
このような魚礁・増殖礁にカキなどの貝殻を用いたものとしては、例えば、特開平６−１４１７２７号、特公平６−７７４９３号及び特開平７−２３６３８５号公報等に開示されているように網体にカキ等の貝殻を充填し、貝殻の隙間に多毛類，小型甲殻類等を繁殖させる増殖礁としての人工魚礁用集魚ケースがある。また、近年では、コンクリート製の魚礁ブロックと、鉄骨構造の魚礁枠体とで構成され、その魚礁枠体の上側にモルタル等で貝殻を固定した収容枠を配列して魚礁としての機能を向上させたハイブリッドタイプの人工魚礁も用いられている。
【０００４】
このように従来から魚礁・増殖礁にカキなどの貝殻を用いたものが種々提案されているが、特開平６−１４１７２７号、特公平６−７７４９３号及び特開平７−２３６３８５号公報等に開示される人工魚礁用集魚ケースは、単に通水性ケースにカキ殻を充填した構造であるため、重量が不足し、これを潮流が速い海域や波浪の大きな海域に設置した場合、早期に流されてしまい継続的に設置しておくことが困難である。また、予め所定の大きさの構造物として海中などに設置する構造のものでは、他の漁場施設用の用途に適用できず汎用性に劣るととともに、これらの魚礁・増殖礁は、コンクリートおよび鉄骨などから構成されるものであるので、ある程度の大きさ及び重量となり運搬にも不便であり、さらに、構造も複雑であるためコスト的にも高いという問題点もある。
【０００５】
本発明は上記課題に基いてなされたものであり、カキなどの貝殻のリサイクル使用が可能であり、簡単な構造で漁場施設用の種々の用途、特に漁礁・増殖礁用に好適であるとともに、強度的に優れた漁場施設用成形体の製造方法を提供することを目的とする。
【０００６】
【課題を解決するための手段】
本発明の請求項１記載の漁場施設用成形体の製造方法は、コンクリートによって中空状に形成した内筒体を成形するとともに、その内筒体を囲むようにして通水性を備えた円筒状の型枠を設け、この型枠と前記内筒体との間に貝殻を充填し、この貝殻にペースト状の固化剤を吹き付けて前記内筒体の外周縁を覆う外筒体を、前記貝殻が表面側に表れるように成形したものである。
【０００７】
これにより、中空状の成形体の表面に貝殻による複雑な凹凸部が形成され、さらに、各貝殻の隙間に多数の空洞部が形成されるので多孔質状となり、海藻類が着生したり多毛類,小型甲殻類等が繁殖し、これを捕食する有用魚類が成形体の周囲に効果的に蝟集させることができる。さらに、成形体は、中空状の内筒体の外周縁に貝殻を骨材として用いた外筒体で覆って形成されているから、表面に貝殻による複雑な凹凸部を有する成形体を簡単に成形することができる。
【０００８】
【発明の実施形態】
以下、本発明の第１実施例について図１乃至図５を参照して説明する。本実施例の漁場施設用成形体１は中空状の内筒体２と、この内筒体２の外周縁を覆う外筒体３とか成る多重構造である。内筒体２はコンクリートによって中空状に形成されている。外筒体３は貝殻４を骨材としてコンクリート５により接合することによって外筒体３の表面に多くの貝殻４が露出して凹凸部６が形成されるとともに、貝殻４の隙間に多数の空洞部７が形成されている。この各貝殻４間の空洞部７は、配列、形状、大きさ等に規則性がないため、この空洞部７は複雑に入り組んだ迷路状となり、海藻類が着生したり多毛類，小型甲殻類等が増殖したりしやすくなっている。
【０００９】
上述したような中空状の成形体１は、まず、通常の方法、すなわち、骨材として一般的な砂、砂利などとセメント、各種の配合剤を配合して攪拌した後、コンクリート型枠（図示しない）に充填して中空状の内筒体２を成形する。そして、図２に示すように、内筒体２の外周縁に、該内筒体２より径大な型枠10を配置する。この型枠10は金属製の網体で形成して通水性を備え、その内筒体２と型枠10の間に骨材としてカキの貝殻４を充填し、型枠10の外側から固化剤としてコンクリートペーストＰを吹き付ける。このコンクリートペーストＰを固化させることによって、内筒体２の外周縁を外筒体３で覆って内筒体２と外筒体３とを一体化する。これにより、成形体１は、その表面には多くの貝殻４が露出して凹凸部６が形成されるとともに、貝殻４の隙間による多数の空洞部７が形成された外筒体３が形成されているが、その内側に位置する内筒体２は、一般的なコンクリート型枠にコンクリートを充填した方法によって成形され、その内筒体２に貝殻４を骨材とする外筒体３を成形することから、成形体１の形成が容易である。さらに、内筒管２の外周縁に骨材として貝殻４とコンクリートから成る外筒体３で覆うことにより、成形体１の表面に貝殻４が露出し、成形体１の表面にも海藻類が着生したり多毛類,小型甲殻類等が増殖させることができ、魚礁・増殖礁としての機能に特に優れる。
【００１０】
次に本実施例の漁場施設用成形体１の利用方法について説明する。本実施例の漁場施設用成形体１は、適当な深さの海底に沈設することにより魚礁や増殖礁として使用することができる。この成形体１は中空円筒状であるので、この成形体１を複数積み重ねた魚礁・増殖礁に潮流が当接すると、種々の方向に輻射することで複雑な渦流域を形成し潮流Ｓが弱まることになる。そして、さらに、成形体１の表面及び裏面には、貝殻４による複雑な凹凸部６が形成され、さらに内部に形成される空洞部７によって凹凸部６の内部は、複雑に入り組んだ迷路状となっているため、多毛類、小型甲殻類等の生息に適した環境となり、これらが増殖する。また、外海の海底等に生長するホンダワラ、アラメ、カジメ等の大型褐藻類が成形体１に着生する。その結果、これらを餌料とするメバル類，タイ，カレイ，アイナメなど有用魚類の稚魚や未成魚などが周囲に蝟集し、これらの有用魚類の稚魚や未成魚を育成することができる。これらにより、魚類等の生息に好適なものとなっている。
【００１１】
このような本実施例の漁場施設用成形体１は、シンプルな構成であるので安価であるばかりか、成形体１を海底に所望の高さにまで積み上げるだけでよいので、海底が平坦である必要もなく設置場所の制限も少なく汎用性が向上したものとなっている。また、成形体１は、通常の方法で成形した内筒体２を成形し、その外周縁に貝殻４を骨材として用いた外筒体３で覆った多重構造とすることによって、成形体１のコンクリート強度を高めることができる。これにより、成形体１の耐久性が向上し、魚礁や増殖礁としての機能を長期に渡って安定的に維持することができる。
【００１２】
また、図３に示すようにＨ型鋼などの型鋼により複数の収納枠15Ａを有する棚枠15などを作成して、この棚枠15の収納枠15Ａに成形体１を収納することにより、所望の大きさの魚礁・増殖礁を簡単に製造することができる。さらに、図４に示すように、成形体１をスペーサブロック16を介して縦横交互に積み重ねことによって魚礁・増殖礁とすることもできる。このように、本実施例の漁場施設用成形体１は、それ自身積み重ねて魚礁・増殖礁とできるだけでなく、それぞれ単独で配置することにより魚礁・増殖礁とすることもでき、さらに、棚枠15やスペーサブロック16などに配置して所望の大きさの人工魚礁として用いることができる。
【００１３】
以上詳述したとおり本実施例の成形体１は、中空状の内筒体２を設け、この内筒体２の外周縁を貝殻４を骨材としたコンクリート又はセラミックからなる外筒体３で覆って表面に前記貝殻４による凹凸部６を有する中空状の成形体１を成形したものであるので、成形体１の表面に海藻類が着生したり多毛類,小型甲殻類等が繁殖したりしやすく、魚類が生育することができ魚礁・増殖礁として機能する。また、棚枠15やスペーサブロック16などと組み合わせて種々の大きさの魚礁・増殖礁とすることができるので、設置場所に応じた大きさの魚礁を簡単に製造することができ、汎用性に優れている。また、図５に示すように、コンクリート成形体１を海底21に山状に積み上げてマウント22とすることにより、人工的に湧昇流Ｓ１を起こし、海底部にある栄養塩を太陽光線が届く水深２０〜３０ｍまで上昇させ、植物性プランクトンの増殖を活性化させて海域の基礎生産力を増大させることができる。さらに、中空円筒状の成形体１を山状に積み上げることで湧昇流Ｓ１が起りやすくなっている。特に本実施例の成形体１は、骨材として貝殻４を用いているので、貝殻４からカルシウムをはじめ微量の各種ミネラルが溶出するので魚礁・増殖礁、あるいはマウント魚礁全体としては魚類の生育に特に好適なものとなっており、環境に対する影響もほとんどない。
【００１４】
さらに、本発明の成形体１の製造方法は、コンクリートによって中空状に形成した内筒体２を成形するとともに、その内筒体２を囲むようにして通水性を備えた円筒状の型枠10を設け、この型枠10と前記内筒体との間に貝殻４を充填し、この貝殻４にペースト状の固化剤を吹き付けて前記内筒体２の外周縁を覆う外筒体３を、前記貝殻４が表面側に表れるように成形したものであるから、成形体１の外周縁には貝殻４による複雑な凹凸部６が形成され、その上、各貝殻４間の隙間に多数に空洞部７が形成されているので成形体１が多孔質状となり、海藻類が着生したり多毛類，小型甲殻類等が増殖し、これを捕食する有用魚類が成形体１の周囲に効果的に蝟集させることができる。さらに、成形体１は、通常の方法で成形した内筒体２を成形し、その外周縁に貝殻４を骨材として用いた外筒体３で覆った多重構造とすることによって、成形体１の成形も容易である。
【００１５】
以上、本発明について前記各実施例に基づき説明したが、本発明は前記実施例に限定されるものではなく、本発明の要旨の範囲内で種々の変形実施が可能である。例えば前記実施例においては、コンクリート成形体の場合を例に説明してきたが、セラミックの場合にも同様に貝類４混合して焼成することにより適用可能である。さらに、コンクリートに限らず、モルタル、あるいはセメントペーストにも適用可能である。さらにまた、石膏に応用してもよい。また、前記実施例におては、円筒形状の成形体の場合について説明したが、四角筒状、多角筒状などであってもよい。さらに、骨材とて用いる貝殻はカキである必要はなく、ホタテ貝やアコヤ貝などのカキ以外の貝などに適用可能であることはいうまでもない。
【００１６】
【発明の効果】
本発明の請求項１記載の漁場施設用成形体の製造方法は、の製造方法は、コンクリートによって中空状に形成した内筒体を成形するとともに、その内筒体を囲むようにして通水性を備えた円筒状の型枠を設け、この型枠と前記内筒体との間に貝殻を充填し、この貝殻にペースト状の固化剤を吹き付けて前記内筒体の外周縁を覆う外筒体を、前記貝殻が表面側に表れるように成形したものであるから、中空状の成形体の表面に貝殻による複雑な凹凸部が形成され、さらに、各貝殻の隙間に多数の空洞部が形成されるので多孔質状となり、海藻類が着生したり多毛類,小型甲殻類等が繁殖し、これを捕食する有用魚類が成形体の周囲に効果的に蝟集させることができる。さらに、成形体は、中空状の内筒体の外周縁に貝殻を骨材として用いた外筒体で覆った多重構造とすることによって、成形体の成形加工が容易である。
【図面の簡単な説明】
【図１】本発明の一実施例を示す成形体の一部切欠斜視図である。
【図２】同上成形体の製造方法を示す断面図である。
【図３】同上成形体の使用方法を示す概略説明図である。
【図４】同上成形体の他の使用方法を示す概略説明図である。
【図５】同上成形体をマウント魚礁として用いた場合を示す概略説明図である。
【符号の説明】
１  成形体（漁場施設用成形体）
２  内筒体
３  外筒体
４  貝殻
５  コンクリート
６  凹凸部
７  空洞部
10  型枠
22  マウント魚礁
Ｐ  コンクリートペースト（固化剤）
【図１】
0003852679.tif 000002
【図２】
0003852679.tif 000003
【図３】
0003852679.tif 000004
【図４】
0003852679.tif 000005
【図５】
0003852679.tif 000006